(57)【特許請求の範囲】
【請求項１】
ドア枠における横枠材とたて枠材の連結構造において、
前記横枠材は、当該横枠材の長さ方向に延びる垂直辺を備えており、前記垂直辺の長さ方向端縁には縦状の突片が形成されており、
前記たて枠材は、見込辺と見付辺とを備えており、前記見込辺には前記見付辺との角部に近接して前記突片が挿入される縦状の挿入溝が形成されており、
前記突片は前記見付辺と平行に延びており、
前記突片が前記挿入溝に挿入された状態で、当該挿入された突片が前記見付辺と面同士で当接状に近接している、連結構造。
【請求項２】
前記ドア枠は引戸装置の枠体であり、
前記横枠材は前記枠体の上枠であり、前記垂直辺は前記上枠の幅方向の後端から垂下しており、
前記突片と前記見付辺とは上枠の後方から螺子で固定されており、
前記螺子は、前記上枠の垂直辺を後方から覆うように設けた壁体によって隠蔽されている、
請求項１に記載の連結構造。
【発明の詳細な説明】
【技術分野】
【０００１】
本発明は、ドア枠における横枠材とたて枠材の連結構造に関するものである。
【背景技術】
【０００２】
ドア枠、例えば、鋼製軽量引戸の枠は、各部材ごとに分割されたままで工場から出荷され、現場でドア枠に組み立てた上で躯体に取り付けられる。従来、現場における引戸枠の組み立てにおいて、上枠４´とたて枠３´との連結は、上枠４´の両端部に取付用のプレートＰを設けることで、プレートＰを介して行われている（図７）。
【０００３】
しかしながら、上枠にプレートＰを取り付けることは手間がかかると共に、その分コストアップにもなってしまう。
【０００４】
特許文献１は、鋼製建具の横枠とたて枠の結合装置に係るが、上記プレートＰを用いるものと同様に、結合金具を用いて横枠とたて枠とを結合している。
【０００５】
特許文献２は、上枠から水平状に延びる係止舌片をたて枠の係止孔に嵌め込み折り曲げ、固定ねじで固定するものであり、折り曲げ作業が必要となることから作業性が悪いという不具合がある。
【特許文献１】実開平１−１６８６９３号
【特許文献２】特開２００２−１７４０８３号
【発明の開示】
【発明が解決しようとする課題】
【０００６】
本発明は、取付プレートのような別部材を用いることなく、製造コスト面・作業性で優れる横枠とたて枠の連結構造を提供することを目的とする。
【課題を解決するための手段】
【０００７】
本発明が採用した技術手段は、
ドア枠における横枠材とたて枠材の連結構造において、
前記横枠材は、当該横枠材の長さ方向に延びる垂直辺を備えており、前記垂直辺の長さ方向端縁には縦状の突片が形成されており、
前記たて枠材は、見込辺と見付辺とを備えており、前記見込辺には前記見付辺との角部に近接して前記突片が挿入される縦状の挿入溝が形成されており、
前記突片は前記見付辺と平行に延びており、
前記突片が前記挿入溝に挿入された状態で、当該挿入された突片が前記見付辺と面同士で当接状に近接している、連結構造、である。
【０００８】
一つの態様では、前記ドア枠は引戸装置の枠体であり、
前記横枠材は前記枠体の上枠であり、前記垂直辺は前記上枠の幅方向の後端から垂下しており、
前記突片と前記見付辺とは上枠の後方から螺子で固定されており、
前記螺子は、前記上枠の垂直辺を後方から覆うように設けた壁体によって隠蔽されている。
後述する実施形態では、上枠４は、上枠４の長さ方向に延びる垂直辺４１を備えており、垂直辺４１の長さ方向端縁には縦状の突片９が形成されている。戸先側たて枠２、戸尻側たて枠３は、それぞれ、見込辺２６と見付辺２２、見込辺３０と見付辺３２を備えている。見込辺２６には、見付辺２２との角部に近接して突片９が挿入される縦状の挿入溝１０が形成されている。見込辺３０には、見付辺３２との角部に近接して突片９が挿入される縦状の挿入溝１０が形成されている。突片９は見付辺２２、３２と平行に延びており、突片９が挿入溝１０に挿入された状態で、当該挿入された突片９が見付辺２２、３２と面同士で当接しており、面同士で当接している突片９と見付辺２２、３２とを螺子１１で固定している。上枠４の垂直辺４１は、上枠４の後方から壁体１４によって覆われている。
【発明の効果】
【０００９】
本発明では、横枠の端部に形成した縦状の突片とたて枠に形成した縦状の挿入溝を挿入させて両者を固定するものであり、横枠の突片及びたて枠の挿入溝は共に、板材から横枠、たて枠を形成する過程で同時に得ることができ、量産が容易であり、製造コストを低減することができる。
【００１０】
本発明では、挿入溝に挿入した突片とたて枠の見付辺とを面同士で当接させて、これらを固定すればよいので、突片を別途折り曲げるような作業も不要であり、作業性にも優れる。また、請求項２に記載の発明では、突片と見付辺との固定を螺子を用いて行う場合であっても、螺子が外部に露出することがなく、外観を損なうことがない
【図面の簡単な説明】
【００１１】
【図１】全閉状態にある引戸装置の正面図である。
【図２】引戸枠の分解斜視図である。
【図３】（Ａ）は戸先側たて枠と上枠との連結を説明する図、（Ｂ）は戸尻側たて枠と上枠との連結を説明する図である。
【図４】戸先側たて枠と上枠との連結を説明する図であり、上図は連結前、下図は連結後を示す。
【図５】戸尻側たて枠と上枠との連結を説明する図であり、上図は連結前、下図は連結後を示す。
【図６】戸先側たて枠及び戸尻側たて枠と上枠との連結を示す平面図である。
【図７】従来のたて枠と上枠との連結を説明する図である。
【発明を実施するための形態】
【００１２】
図１は、全閉状態にある引戸装置の正面図であり、引戸装置は、引戸枠と、引戸枠に対して左右方向に移動可能な扉体１と、からなる。図２は、引戸枠の分解斜視図である。引戸枠は、垂直方向に延びる戸先側たて枠２及び戸尻側たて枠３と、戸先側たて枠２及び戸尻側たて枠３の上端部位間を連結するように水平方向に延びる上枠４と、からなる三方枠である。戸先側たて枠２と戸尻側たて枠３との間の略中央部位に位置して方立５（前側方立５Ａと後側方立５Ｂとからなる）が設けてある。戸先側たて枠２と方立５との間の空間が開口部となっており、扉体１は、戸先側端面が戸先側たて枠２に当接して当該開口部を閉鎖した閉鎖姿勢と、戸尻側端面が戸尻側たて枠３に当接ないし近接した開口姿勢と、の間で左右方向に移動可能となっている。
【００１３】
上枠４内にはハンガーレール６が左右方向に亘って延びており、扉体１は、扉体の上端に設けたハンガーローラ７によってハンガーレール６から吊持されており、ハンガーローラ７がハンガーレール６上を転動することで左右方向に移動可能となっている。上枠４の前側には、戸先側たて枠２と方立５との間に位置して点検カバー８が着脱可能に設けられる。一つの態様では、方立５と戸尻側たて枠３との間には巾木５０、中桟５１が設けられる（図２参照）。
【００１４】
戸先側たて枠２は上下方向、すなわち垂直方向に延びる長尺部材であり、戸先側たて枠２を形成する各辺は垂直方向に延びている。戸尻側たて枠３は上下方向、すなわち垂直方向に延びる長尺部材であり、戸尻側たて枠３を形成する各辺は垂直方向に延びている。上枠４は左右方向、すなわち水平方向に延びる長尺部材であり、上枠４を形成する各辺は水平方向に延びている。戸先側たて枠２・戸尻側たて枠３と上枠４は互いに直角状に延びている。図６には戸先側たて枠２及び戸尻側たて枠３を平面視ないし断面視で示してある。以下に、戸先側たて枠２、戸尻側たて枠３、上枠４の形状について図面に基づいて具体的に説明するが、本発明における横枠材、たて枠材の形状は図示のものに限定されない。
【００１５】
戸先側たて枠２は、扉体１の戸先側端面に対向する第１見込辺２０と、第１見込辺２０の一側から見付方向に延びる第１見付辺２１と、第１見込辺２０の他側から見付方向に延びる第２見付辺２２、とから形成された凹部を有しており、開口部全閉時には、扉体１の戸先側端部が前記凹部に受け入れられた状態となる。
【００１６】
戸先側たて枠２の凹部の一側には、さらに、第１見付辺２１から見込方向に延びる第２見込辺２３、第２見込辺２３から第１見付辺２１に平行して見付方向に延びる第３見付辺２４、第３見付辺２４から第２見込辺２３に平行して延びる第３見込辺２５が形成されている。戸先側たて枠２の凹部の他側には、さらに、第２見付辺２２から見込方向に延びる第４見込辺２６が形成されている。
【００１７】
戸尻側たて枠３は、扉体１の戸尻側端面に対向する第１見込辺３０と、第１見込辺３０の一側から見付方向に延びる第１見付辺３１と、第１見込辺３０の他側から見付方向に延びる第２見付辺３２と、第１見付辺３１から見込方向に延びる第２見込辺３３と、第２見付辺３２から見込方向に延びる第３見込辺３４と、から略Ｃ形状に形成されている。
【００１８】
上枠４は、水平状の上辺４０と、上辺４０の幅方向の一側（後側）から垂下する垂直辺４１と、から略逆Ｌ形状に形成されている。上枠４の前側は少なくとも戸先側たて枠２と方立５との間に位置して開放状となっており、かかる部位に点検カバー８が着脱可能に設けられる。垂直辺４１の上端部位は凸部４２となっており、垂直辺４１の下端には水平辺４３が形成されている。上辺４０の幅方向の他側（前側）には垂直辺４４が形成されている。
【００１９】
上枠４において、垂直辺４１の長さ方向の両端縁には縦状の突片９が上下方向に間隔を存して２つ一体形成されている。突片９は、垂直辺４１の長さ方向両端縁から見付方向に延びる垂直姿勢の板状片である。突片９は、戸先側たて枠２の第２見付辺２２、戸尻側たて枠３の第２見付辺３２と平行するように延びている。図示の態様では、２つの突片９を示したが、突片の数は限定されず、１つでも３つ以上でもよい。
【００２０】
戸先側たて枠２の上方部位において、第４見込辺２６には第２見付辺２２との角部に近接して、上枠４に形成した突片９が挿入される縦状の挿入溝１０が上下方向に間隔を存して２つ形成されている。縦状の挿入溝１０の高さは、縦状の突片９の高さ（上下方向の幅）と略同じ（突片９が挿入可能なように僅かに大きい）である。突片９が挿入溝１０に挿入された状態で、挿入された突片９が第２見付辺２２の外面と面同士で当接しており、重なり合う突片９と第２見付辺２２は上枠４の後方から螺子１１（螺子１１の軸は見込方向に延びる）で固定されている。
【００２１】
戸先側たて枠２の上端には、取付片２７０が一体形成された平面視Ｌ形状の塞ぎ板２７が設けてある。上枠４の戸先側端部の突片９を戸先側たて枠２の挿入溝１０に挿入した状態で、塞ぎ板２７の取付片２７０が上枠４の上辺４０の戸先側部位の上面に当接しており、螺子１２を用いて取付片２７０と上辺４０とが固定されている。このように、実施形態では、上枠４の戸先側端部と戸先側たて枠２の連結構造において、突片９と第２見付辺２２との固定箇所以外の箇所でも固定が行われている。
【００２２】
戸尻側たて枠３の上方部位において、第１見込辺３０には第２見付辺３２との角部に近接して、上枠４に形成した突片９が挿入される挿入溝１０が上下方向に間隔を存して２つ形成されている。縦状の挿入溝１０の高さは、縦状の突片９の高さ（上下方向の幅）と略同じ（突片９が挿入可能なように僅かに大きい）である。突片９が挿入溝１０に挿入された状態で、挿入された突片１０が第２見付辺３２の内面と面同士で当接しており、重なり合う突片９と第２見付辺３２は上枠４の後方から螺子１１（螺子１１の軸は見込方向に延びる）で固定されている。
【００２３】
上枠４の戸尻側端部の突片９を戸尻側たて枠３の挿入溝１０に挿入した状態で、上枠４の垂直辺４４の戸尻側部位が、戸尻側たて枠３の第１見付辺３１の上方部位の外面に当接しており、螺子１３を用いて垂直辺４４と第１見付辺３１とが固定されている。このように、実施形態では、上枠４の戸先側端部と戸尻側たて枠３の連結構造において、突片９と第２見付辺３２との固定箇所以外の箇所でも固定が行われている。
【００２４】
本実施形態では、突片９は上枠４の垂直辺４１の長さ方向の両端部に一体形成されており、図６に示すように、上枠４の垂直辺４１は、上枠４の後方から壁体１４によって覆われている。したがって、突片９と第２見付辺２２を固定する螺子１１の頭部、突片９と第２見付辺３２を固定する螺子１１の頭部は、壁体１４によって隠蔽されており、螺子１１が露出して外観を損ねることがない。螺子１１の軸部は、第２見付辺２２の内側、第２見付辺３２の内側にそれぞれ突出するが、かかる部位は上枠４内であるため、螺子１１の軸部が扉体１と干渉することはなく、また、上枠４内部は点検カバー８によって隠されているので、螺子１１の軸部によって引戸枠の外観が損なわれることはない。
【産業上の利用可能性】
【００２５】
本発明は、引戸枠における上枠とたて枠の連結構造に利用することができる。
【符号の説明】
【００２６】
２  戸先側たて枠
２２  第２見付辺
３  戸尻側たて枠
３２  第２見付辺
４  上枠
４１  垂直辺
９  突片
１０  挿入溝
【図１】
0005422510.tif 000002
【図２】
0005422510.tif 000003
【図３】
0005422510.tif 000004
【図４】
0005422510.tif 000005
【図５】
0005422510.tif 000006
【図６】
0005422510.tif 000007
【図７】
0005422510.tif 000008